(57)【特許請求の範囲】
【請求項１】
コンクリート構造物の接合部において、十字に交差する目地を止水する目地止水可撓継手であって、
山と谷の連続する波形形状の横断面を有し、かつ止水対象である交差する目地部に対応する十字形の平面形状を有する一体成形された十字形の止水ゴム部材を有し、
前記十字形の止水ゴム部材を前記交差する目地部に配置し、
前記目地部にそって四方に伸びる前記十字形の止水ゴム部材の側縁を、取付金具を介し所定のピッチで設けたアンカーボルトとナットにより固定し、
前記十字形の止水ゴム部材が、波形状が一方向に走る４つの直線部と、各直線部の波形状が９０°方向を変えながら２方向に分かれてそれぞれ左右９０°隣の直線部に連続する十字交差部との一体構造を有することを特徴とする目地止水可撓継手。
【請求項２】
コンクリート構造物の接合部において、Ｔ字に交差する目地を止水する目地止水可撓継手であって、
山と谷の連続する波形形状の横断面を有し、かつ止水対象である交差する目地部に対応するＴ字形の平面形状を有する一体成形されたＴ字形の止水ゴム部材を有し、
前記Ｔ字形の止水ゴム部材を前記交差する目地部に配置し、
前記目地部にそって３方に伸びる前記Ｔ字形の止水ゴム部材の側縁を、取付金具を介し所定のピッチで設けたアンカーボルトとナットにより固定し、
前記Ｔ字形の止水ゴム部材は、波形状が一方向に走る３つの直線部と、波形状が９０°方向を変えながら２方向に分かれて連続する部分と波形状が直線的に延びる部分からなるＴ字交差部との一体構造を有することを特徴とする目地止水可撓継手。
【発明の詳細な説明】
【技術分野】
【０００１】
本発明は、水路、暗渠、貯水槽など、コンクリート構造物の目地止水可撓継手に関し、特に、目地が交差する部分で用いられる目地止水可撓継手に関する。
【背景技術】
【０００２】
水路、暗渠、貯水槽などのコンクリート構造物では、隣り合うコンクリートブロックの接合部分には隙間のあいている目地が形成される。この目地には、止水のための継手が取り付けられることがある。
【０００３】
近年では、この種のコンクリート構造物に耐震構造が取り入れられるようになっており、目地で地震の振動による変位を吸収する構造になっている。これに伴い、止水継手には、可撓性の止水部材が採用されている。
【０００４】
従来のこの種の可撓継手には、例えば、特許文献１に記載されているものがある。  
この特許文献１の止水可撓継手は、コンクリート構造物に形成される目地が十字状または丁字状に交差する場合に、目地がいずれの方向に開いても追随して変形することによって止水性を維持することを目的とする継手である。
【０００５】
この特許文献１の止水継手では、十字または丁字に交差する第１のシート部分と、第２のシート部分からなり、それぞれのシート部分の折り畳み部が連続するように一体的に接続されるようになっている。
【特許文献１】特開２００１−２０３９５号公報
【発明の開示】
【発明が解決しようとする課題】
【０００６】
しかしながら、特許文献１のような止水継手では、交差する目地に合わせてシートを展開するために、別々の部材である第１のシート部分と第２のシート部分を折り畳み部が連続するように接続しなければならない。この場合、接続には、焼き付けや接着などにより接合しなければならないが、この作業が非常に手間とももに時間のかかる作業であり、さらには接合した部分が特定の方向の変位に弱いというように信頼性が高くないため、折り畳み部の伸縮により接合が破壊される可能性が高く、耐震性に対する信頼性に問題がある。
【０００７】
そこで、本発明の目的は、前記従来技術の有する問題点を解消し、十字形、Ｔ字形などに交差するコンクリート構造物の目地部を止水するために簡易に設置することができるとともに、シールの交差部で伸縮する部分の変位に対する追従性にすぐれ耐震強度の高い目地止水可撓継手を提供することにある。
【課題を解決するための手段】
【０００９】
また、本発明は、コンクリート構造物の接合部において、十字に交差する目地を止水する目地止水可撓継手であって、山と谷の連続する波形形状の横断面を有し、かつ止水対象である交差する目地部に対応する十字形の平面形状を有する一体成形された十字形の止水ゴム部材を有し、  前記十字形の止水ゴム部材を前記交差する目地部に配置し、前記目地部にそって四方に伸びる前記十字形の止水ゴム部材の側縁を、取付金具を介し所定のピッチで設けたアンカーボルトとナットにより固定し、前記十字形の止水ゴム部材が、波形状が一方向に走る４つの直線部と、各直線部の波形状が９０°方向を変えながら２方向に分かれてそれぞれ左右９０°隣の直線部に連続する十字交差部との一体構造を有することを特徴とするものである。
【００１０】
さらに、本発明は、コンクリート構造物の接合部において、Ｔ字に交差する目地を止水する目地止水可撓継手であって、山と谷の連続する波形形状の横断面を有し、かつ止水対象である交差する目地部に対応するＴ字形の平面形状を有する一体成形されたＴ字形の止水ゴム部材を有し、前記Ｔ字形の止水ゴム部材を前記交差する目地部に配置し、前記目地部にそって３方に伸びる前記Ｔ字形の止水ゴム部材の側縁を、取付金具を介し所定のピッチで設けたアンカーボルトとナットにより固定し、前記Ｔ字形の止水ゴム部材は、波形状が一方向に走る３つの直線部と、波形状が９０°方向を変えながら２方向に分かれて連続する部分と波形状が直線的に延びる部分からなるＴ字交差部との一体構造を有することを特徴とするものである。
【発明の効果】
【００１１】
本発明によれば、十字形、Ｔ字形などに交差するコンクリート構造物の目地部を止水するために簡易に設置することができるとともに、シールの交差部で伸縮する部分のどの方向への変位に対しても追従性にすぐれ、耐震強度を高めることができる。
【発明を実施するための最良の形態】
【００１２】
以下、本発明による目地止水可撓継手の一実施形態について、添付の図面を参照しながら説明する。  
図１は、本実施形態による目地止水可撓継手が適用されるコンクリート構造物を示す。このコンクリート構造物は、水路を構成する構造物で、図１では４つのコンクリートブロック１０を寄せ合わせて構成されている。この場合、それぞれ隣接するコンクリートブロック１０同士の間には間隙のあいた目地１１が設けられている。参照番号１２は、この目地１１を止水する可撓継手の主要な構成要素である止水ゴム部材を示す。この止水ゴム部材１２を用いた可撓継手の断面は図２に示されている。
【００１３】
目地止水可撓継手を取り付ける前のコンクリート構造物の目地は、図１に示すような十字に交差する目地１１が形成されている。本実施形態による目地止水可撓継手は、十字に交差する目地１１を止水するために、止水ゴム部材１２でシールするとともに、目地部の変位を吸収する構造の継手である。
【００１４】
そこで、止水ゴム部材１２について説明する。  
図１において、この止水ゴム部材１２の平面形状は、止水対象である目地１１が交差する十字形に対応しており、全体が褶曲した形状をもつ一体構造のゴム製カバーである。この止水ゴム１２の横断面は、山と谷の連続する波形形状である。
【００１５】
このような十字形の止水ゴム部材１２では、４つの直線部１４と、中央の交差部１６とが一体構造になっている。各直線部１４では、波形状は長手方向に走る点で共通している。交差部１６では、各直線部１４の波形状は９０°方向を変えながら２方向に分かれてそれぞれ左右９０°隣の直線部１４に連続している。すなわち、各直線部１４の波形状を２条の山１８ａと３条の山１８ｂに２つのグループに分けてみてみると、それぞれ直線部１４では、波形状をなす２条の山１８ａと３条の山１８ｂは真っ直ぐに延びているが、交差部１６では、２条の山１８ａのグループと３条の山１８ｂのグループに分かれ、このうち、一方の山１８ａは、９０°左隣の直線部１４に連続し、他方の山１８ｂは右隣の直線部に連続するという関係にある。この関係は、どの直線部１４をとってみても同じである。このように波形形状が分かれているため、交差部１６の中央部は平坦な形状になっている。
【００１６】
なお、止水ゴム部材１２の各直線部１４の両縁部は、ボルトで固定するための平坦な固定部１４ａになっており、この固定部１４ａには、ボルトを通す穴１９が形成されている。
【００１７】
次に、図２は、本実施形態による目地止水可撓継手の断面を示す。この図２に示されている断面は、直線部１４における横断面である。
【００１８】
まず、目地１１を挟んだ両側のコンクリートブロック１０のコンクリート露出面に所定のピッチでアンカーボルト３０を埋め込むためのボルト孔３１が削岩機により穿孔される。穿孔した後、それぞれのボルト孔３１にはエアを吹きつけ、コンクリート破片や切粉を除去してから、接着材の入ったカプセルを挿入しておく。しかる後、各ボルト孔３１には、アンカーボルト３０を埋め込み、接着材を硬化養生させる。
【００１９】
次に、図２において、アンカーボルト３０の周囲でコンクリート表面の清掃を行っておく。この清掃範囲は、止水ゴム部材１２の固定部１４ａが押し付けられるシール面に相当している。この固定部１４ａは、取付板３７を載せてアンカーボルト３０に螺合するロックナット３２で締め付けるために、平坦かつ肉厚になっており、この固定部１４ａの裏面には、シール部を構成する４条の凸部３３が長手方向に形成されている。また、ボルト穴３１の外側には、Ｏリング３４が設けられている
そこで、止水ゴム部材１２を、目地１１が交差する部分を被覆するようにセットする。そして、止水ゴム部材１２の固定部１４ａのボルト穴３１にアンカーボルト３０を通してから、保護部材としてのカバーゴム３６を止水ゴム部材１２に被せるようにして覆う。このカバーゴム３６は、図３に示すように、止水ゴム部材１２の平面形状を一回り小さくした十字形のゴム板材である。
【００２０】
その上で、アンカーボルト３０に座金３８を介してロックナット３２を締め付け、取付板３７で止水ゴム部材１２を固定することができる。
【００２１】
以上のように構成される目地止水可撓継手によれば、十字形に交差する目地１１をシールする止水ゴム部材１２は、４つの直線部１６と、交差部１６との一体構造であるため、従来のように複数のシール部材を交差させるようにして組み付ける必要がなく取り付けが簡便であり、現場での施工性がよく、作業の効率が向上する。さらに、止水ゴム部材１２そのものがシームレスの一体構造であるために、シール性能の信頼性を高めることができる。
【００２２】
また、止水ゴム部材１２は、基本的に目地部を止水するシール材であるが、山、谷が交互に連続する波形形状を有しているので、地震の揺れに伴う目地幅の変動に追従して変形し、これを吸収する機能をもっている。
【００２３】
目地が交差している部分では、揺れの方向によって目地幅の変動がさまざまである。例えば、縦方向の目地の幅は変動するが横方向の目地の幅は変動しないとか、縦方向も横方向も変動する、というように揺れの方向によって変わってくる。これに対して、本実施形態のように、止水ゴム部材１２が一体構造の波形形状であれば、あらゆる方向の変位に対しても良好な追従性を確保することができる。しかも、交差部１６では、波形を構成する山、谷が２方向に分かれて延びるようにおり、交差部１６全体として、波形が対称になる構造になっているので、特定の方向に弱いというようなことがなくあらゆる方向の変位に対して追従性を確保することができる。
【００２４】
なお、図４は、コンクリートブロック１０のコーナー部での取り付け構造を示す。  
コーナー部の目地では、壁が直角に立ち上がっているので、止水ゴム部材１２の直線部１４の固定部１４ａを密着させることができないため、固定部１４ａのシールが十分に効かず隙間から漏水するおそれがある。
【００２５】
そこで、図４に示すようなコーナーゴム５０を用いることにより、コーナー部での止水を確実にすることができる。  
この実施形態では、コーナーゴム５０は、凹曲面を有するＲ部が形成された部材である。押え金具５３にはＲ部に倣って湾曲したものが用いられる。このようなコーナーゴム５０をコーナー部に置くことにより、コーナー部の目地を確実に止水することができる。
【００２６】
次に、図５は、止水ゴム部材の他の実施形態を示す図である。この止水ゴム部材４０は、目地１１がＴ字形に交差する部分をシールする目地止水可撓継手に用いられる。
【００２７】
この止水ゴム部材４０は、波形状が一方向に走る３つの直線部４１と、波形状が９０°方向を変えながら２方向に分かれて連続する部分と波形状が直線的に延びる部分からなるＴ字交差部４２との一体構造を有するゴム製の部材である。
【００２８】
このようなＴ字形の止水ゴム部材４０を用いて、図２のように固定することにより、Ｔ字に交差する目地１１をシールすることができる。また、止水ゴム部材４０は、地震の揺れに伴う目地幅の変動に追従して変形し、これを吸収する機能は十字形のものと同様であり、あらゆる方向の変位に対して追従性を確保することができる。
【００２９】
以上、本発明に係る目地止水可撓継手について、十字に目地が交差する部分、およびＴ字に目地が交差する部分をシールする実施形態を挙げて説明したが、本発明は、これらの実施形態以外にも、Ｙ字形に交差する部分などにも適用することが可能である。
【図面の簡単な説明】
【００３０】
【図１】本発明の第１実施形態による目地補修継手に用いる止水ゴム部材を示す斜視図である。
【図２】同目地補修継手の横断面図である。
【図３】本発明による目地補修継手の平面図である。
【図４】同目地補修継手のコーナー部を示す断面図である。
【図５】本発明の第２実施形態による目地補修継手に用いる止水ゴム部材を示す斜視図である。
【符号の説明】
【００３１】
１０  コンクリートブロック
１２  止水ゴム部材
１４  直線部
１４ａ  固定部
１６  交差部
３０  アンカーボルト
３２  ロックナット
３６  カバーゴム
３８  座金
４０  止水ゴム部材
【図１】
0005143539.tif 000002
【図２】
0005143539.tif 000003
【図３】
0005143539.tif 000004
【図４】
0005143539.tif 000005
【図５】
0005143539.tif 000006